(57)【要約】【課題】位置検出精度を高めると共に、表示品位の低下を抑制する。【解決手段】液晶表示装置１は、対向基板２２の対向電極３５が形成されている面とは反対側の面に接触体が接触したときに、接触体と対向電極３５の一部との間に形成される静電容量を検知することよって、接触体の接触位置を検出するように構成されている。対向電極３５は、アクティブマトリクス基板２１に形成された信号線に沿って延伸するように長尺状に複数形成されている。【選択図】図１
2007304342.tif 000002
【特許請求の範囲】
【請求項１】
複数の走査線、複数の信号線、複数の画素電極、及び前記複数の画素電極に電気的に接続されたスイッチング素子が一方の面に形成されたアクティブマトリクス基板と、
前記アクティブマトリクス基板の前記一方の面に対向して配置され、前記画素電極に対向する対向電極が形成された対向基板と、
前記画素電極と前記対向電極との間に設けられて表示を制御するための表示媒体層とを備え、
前記対向基板の前記対向電極が形成されている面とは反対側の面に接触体が接触したときに、前記接触体と前記対向電極の一部との間に形成される静電容量を検知することによって、前記接触体の接触位置を検出する表示装置であって、
前記対向電極は、前記信号線に沿って延伸するように長尺状に複数形成されていることを特徴とする表示装置。
【請求項２】
前記対向基板の前記対向電極が形成されている面には、信号入出力部が設けられ、
前記信号入出力部には、前記表示媒体層を制御するための駆動信号を前記対向電極に入力する入力手段と、前記接触位置を示す前記対向電極からの信号を受ける検出手段とが接続されていることを特徴とする、請求項１に記載の表示装置。
【請求項３】
前記対向電極のそれぞれは、該対向電極の両端部が短絡配線によって短絡されており、
前記短絡配線のそれぞれは、該短絡配線の両端側に信号入出力部を有し、
前記信号入出力部には、前記表示媒体層を制御するための駆動信号を前記対向電極に入力する入力手段と、前記接触位置を示す前記対向電極からの信号を受ける検出手段とが接続されていることを特徴とする、請求項１に記載の表示装置。
【請求項４】
前記対向電極のそれぞれは、該対向電極の両端部が短絡配線によって短絡されており、
前記短絡配線のそれぞれの両端側には、前記接触位置を示す前記対向電極からの信号を受ける検出手段が接続されており、
前記短絡配線の両端間の抵抗値は１００Ω以上であることを特徴とする、請求項１に記載の表示装置。
【請求項５】
前記短絡配線には、前記表示媒体層を制御するための駆動信号を前記対向電極に入力するための信号入力部が、３つ以上設けられていることを特徴とする、請求項４に記載の表示装置。
【請求項６】
前記表示媒体層は液晶層であることを特徴とする、請求項１〜５の何れか１つに記載の表示装置。
【発明の詳細な説明】
【技術分野】
【０００１】
本発明は、表示装置に関し、特に接触体の接触位置を検出する表示装置に関する。
【背景技術】
【０００２】
近年、いわゆるタッチパネルが搭載された表示装置（タッチパネル表示装置）が広く知られている（例えば、特許文献１及び２等参照）。タッチパネルは、例えば指先等の接触体が接触した接触位置（以降、タッチ位置とも称する）を検出するように構成されている。
【０００３】
タッチパネルは、その動作原理によって、抵抗膜方式、静電容量方式（例えば特許文献２）、赤外線方式、超音波方式、及び電磁誘導方式等に分類される。その中でも、静電容量方式のタッチパネルは、表示装置の光学特性を比較的損ない難いため、表示装置に好適である。
【０００４】
静電容量方式のタッチパネルは、一般に、表示パネルを覆うように設けられる位置検出用透明電極と、位置検出用透明電極の周縁部分に設けられた複数の電極端子と、電極端子を流れる電流を検出する電流検出回路とを有している。使用者がタッチパネルをタッチすると、位置検出用透明電極は、タッチされた地点で位置検出用透明電極と人体（指先）との間に介在された絶縁体の静電容量を介して接地される。タッチされる位置によって、各電極端子と接地点との間の抵抗値には変化が生じる。この抵抗値の変化が電流検出回路によって検出されることにより、タッチされた位置が検出される仕組みとなっている。
【０００５】
近年、タッチパネル表示装置を含めた表示装置全般に対し、薄型軽量化が特に強く要望されている。一般的にタッチパネルは表示パネルの上に、追加的に表示パネルを覆うように設置される。そのため、タッチパネルを有しない表示パネルに比べると、装置全体の厚みの増加が避けられない。そこで、タッチパネルの具備と薄型軽量化とを両立させるための技術として、表示パネルに元々設けられている電極をタッチパネルの位置検出用電極として共用することも提案されている。
【０００６】
例えば、アクティブマトリクス型の液晶表示装置の場合には、一般に、複数の画素電極を有するアクティブマトリクス基板に対して、全ての画素電極を覆うように対向電極を対向基板側に設ける。そして、画素電極と対向電極の間に介在する液晶を駆動することによって表示を行う。この対向電極を位置検出用電極と兼ねる構成が考えられる。すなわち、通常の液晶表示装置と同じように対向電極には表示に必要な駆動電圧を供給しつつ、例えば垂直帰線期間のように表示に寄与しない期間において、対向電極にタッチ位置検出用の信号を供給する。そして、対向電極からもたらされる電流を検出してタッチ位置を検出する。
【特許文献１】特開昭６１−１７４５８７号公報
【特許文献２】特開２００３−６６４１７号公報
【発明の開示】
【発明が解決しようとする課題】
【０００７】
ところが、対向電極のように表示に寄与する電極は、通常、対向基板の内側（つまりアクティブマトリクス基板側）に設けられる。そのため、静電容量式タッチパネルの位置検出用透明電極として機能する場合、そのタッチ位置は、対向基板を介した静電容量を検知することになる。したがって、対向基板の厚みの影響により静電容量は極めて小さいものとなり、検出される信号は非常に微弱なものとなりやすい。すなわち、表示パネルに元々設けられている電極をタッチパネルの位置検出用電極と兼用させようとすると、十分に高い位置検出精度が得られないという問題がある。
【０００８】
本発明は、斯かる諸点に鑑みてなされたものであり、その目的とするところは、接触体の接触位置を検出可能な構成としつつ薄型軽量化を図った表示装置に対し、その位置検出精度を可及的に高めると共に、表示品位の低下を抑制することにある。
【課題を解決するための手段】
【０００９】
本発明者は、鋭意研究を重ねた結果、従来の表示パネルにおける対向電極をタッチパネルの位置検出用電極として兼用した場合には、良好な表示品位と高精度な位置検出とを両立することが困難であることを見出し、本発明を成すに至った。
【００１０】
以下、本発明者らにより解明された、良好な表示品位と高精度な位置検出との両立が困難である理由について詳述する。
【００１１】
本来、液晶表示装置の各画素を駆動しようとする際には、信号線からアクティブ素子を介して画素電極に画像信号に対応した電圧を書き込むことにより、画素電極と対向電極との間に電位差を生じさせて表示を行う。対向電極には特定の基準電位を供給する一方、各画素の電位状態は、画素電極に与える電圧の値によって変化させるのが一般的である。
【００１２】
この基準電位は、直流又は接地電位の場合もあるし、信号線の信号レベルを低振幅化するために交流とする場合もあるが、いずれにしても画面全体の基準電位として安定した電位を維持することが求められる。したがって、複数の画素への書込みの瞬間や、信号線の極性反転の瞬間におけるリップルやノイズの発生は避ける必要があり、入力部を低インピーダンス化することや、対向電極そのものを低抵抗化することに神経が使われる。
【００１３】
仮に、対向電極が十分に低抵抗でなかった場合には、対向電極に交流を与えたとしても信号の遅延が大きく所定の基準電位としての機能を十分に果たさない。その結果、画素電極への電圧充電に支障をきたして充電不足を生じさせ、コントラストの低下やムラの発生を招く虞れがある。さらに、ある走査線に対応する画素列に電圧を書き込む瞬間において、特定の個所における書き込み負荷の影響を受けて対向電極の電位にリップルが乗った際には、信号線の左右の画素への書き込みは不安定な基準電位の下で行われるため、所望の充電が行われない。その結果、表示が左右に尾をひいたような不良状態になって、いわゆるクロストークが発生する虞れがある。
【００１４】
一方、タッチパネルの位置検出用電極は、上記表示用の対向電極の場合とは逆に、高抵抗であることが求められる。これは、位置検出用電極の複数の入出力端からタッチ位置までのそれぞれの抵抗の差異によってタッチ位置を検出するようになっているため、仮に、位置検出用電極の抵抗が低い場合には、周辺回路の寄生抵抗の影響が相対的に大きくなって、位置情報の感度が低くなってしまうからである。
【００１５】
すなわち、周辺回路の抵抗と比べて、タッチ位置と入出力部との間の抵抗値が数十倍から数百倍であることが好ましい。このことは、上記の表示品位の観点から要求される低抵抗特性とは相反する関係にある。
【００１６】
上記の目的を達成するために、この発明では、対向電極を信号線に沿って延伸するように長尺状に複数形成した。
【００１７】
具体的に、本発明に係る表示装置は、複数の走査線、複数の信号線、複数の画素電極、及び前記複数の画素電極に電気的に接続されたスイッチング素子が一方の面に形成されたアクティブマトリクス基板と、前記アクティブマトリクス基板の前記一方の面に対向して配置され、前記画素電極に対向する対向電極が形成された対向基板と、前記画素電極と前記対向電極との間に設けられて表示を制御するための表示媒体層とを備え、前記対向基板の前記対向電極が形成されている面とは反対側の面に接触体が接触したときに、前記接触体と前記対向電極の一部との間に形成される静電容量を検知することによって、前記接触体の接触位置を検出する表示装置であって、前記対向電極は、前記信号線に沿って延伸するように長尺状に複数形成されていることを特徴とする。
【００１８】
この構成により、対向電極が信号線に沿って距離が長く幅が狭い長尺状のパターンに形成されているために、対向電極の面抵抗が高抵抗ではなく比較的低い場合であっても、対向電極の信号線に沿った方向（以降、信号線方向とも称する）における両端の間の抵抗を高くすることが可能となる。その結果、検出される接触体の接触位置検出の精度は、信号線方向において格段に向上する。
【００１９】
また、対向電極の面抵抗を高める必要がないため、コントラスト低下やムラ発生等の表示品位の低下を招かない。すなわち、対向電極を長尺状にパターニングするのは走査線方向ではなく信号線方向であるため、ある走査線が選択書き込みされた際に、各長尺状の対向電極には例えば１画素分の書き込み負荷しか加わらない。そのため、全ての長尺状の対向電極に加わる負荷が均等になるという点で、任意の点における負荷の大きさを面状の対向電極と同程度に維持でき、新たな表示の不具合は生じない。
【００２０】
また、各対向電極は信号線方向に延びる一方、走査線方向は互いに分離しているため、対向電極にリップルが乗ったとしても走査線方向には伝播せず、上述の書き込み時の負荷によるクロストークは抑制される。
【００２１】
前記対向基板の前記対向電極が形成されている面には、信号入出力部が設けられ、前記信号入出力部には、前記表示媒体層を制御するための駆動信号を前記対向電極に入力する入力手段と、前記接触位置を示す前記対向電極からの信号を受ける検出手段とが接続されていることが好ましい。
【００２２】
この構造によると、位置検出用電極としても機能する各対向電極のそれぞれに、信号入出力部を介して検出手段が接続されているため、接触体が接触した領域に対応する対向電極を容易に判別でき、通常の静電容量方式タッチパネルのように、面状に形成された位置検出用電極における２次元検出に比べて、高い位置精度を容易に得ることが可能である。
【００２３】
前記対向電極のそれぞれは、該対向電極の両端部が短絡配線によって短絡されており、前記短絡配線のそれぞれは、該短絡配線の両端側に信号入出力部を有し、前記信号入出力部には、前記表示媒体層を制御するための駆動信号を前記対向電極に入力する入力手段と、前記接触位置を示す前記対向電極からの信号を受ける検出手段とが接続されていてもよい。
【００２４】
この構造によると、検出位置精度と表示品位とを同時に確保すると共に、検出用の回路を複数の対向電極の全て設ける必要がないため、信号入出力部の数を減少させて装置構成を簡単にすることが可能である。その結果、表示装置のうち表示に寄与しない所謂額縁領域を縮小することができる。また、比較的高価な接触位置読み取り回路を多数配置しなくてもよいため、コストの低減が図られる。
【００２５】
前記対向電極のそれぞれは、該対向電極の両端部が短絡配線によって短絡されており、前記短絡配線のそれぞれの両端側には、前記接触位置を示す前記対向電極からの信号を受ける検出手段が接続されており、前記短絡配線の両端間の抵抗値は１００Ω以上であることが好ましい。
【００２６】
このようにすることにより、走査線方向に延びる短絡配線の抵抗値を十分に確保して、走査線方向の位置検出精度を向上させることが可能となる。
【００２７】
前記短絡配線には、前記表示媒体層を制御するための駆動信号を前記対向電極に入力するための信号入力部が、３つ以上設けられていてもよい。
【００２８】
このようにすることにより、走査線方向の位置検出精度を向上させるべく短絡配線を高抵抗にしても、対向電極に供給される表示のための信号は、比較的低いインピーダンスで入力させることができる。その結果、位置検出精度及び表示品位の双方を向上させることができる。
【００２９】
前記表示媒体層は液晶層であってもよい。例えばアクティブマトリクス型の液晶表示装置は、アクティブマトリクス基板に対向する対向基板に対向電極として透明な導電性酸化膜が使用されることが多い。この対向電極をパターニングすることによって容易に上述のような、位置検出精度も表示品位も共に優れた表示装置を得ることが可能となる。
【発明の効果】
【００３０】
本発明によれば、対向電極を位置検出用電極としても兼用することにより、接触体の接触位置を検出可能な構成としつつ薄型軽量化を図ることができる。そのことに加えて、対向電極を信号線に沿って延伸するように長尺状に複数形成することによって、対向電極の面抵抗は比較的低く維持しつつ信号線方向の抵抗を比較的高めることができるため、表示品位の低下を抑制すると共に、接触体の位置検出精度を高めることができる。
【発明を実施するための最良の形態】
【００３１】
以下、本発明の実施形態を図面に基づいて詳細に説明する。尚、本発明は、以下の実施形態に限定されるものではない。
【００３２】
《発明の実施形態１》
図１〜図３は、本発明の実施形態１を示している。図１は本発明に係る表示装置の実施形態である液晶表示装置１の要部を示す平面図である。図２は、アクティブマトリクス基板の一部を拡大して示す平面図である。図３は、液晶表示装置１の構造を模式的に示す断面図である。
【００３３】
液晶表示装置１は、図３に示すように、アクティブマトリクス基板２１と、対向基板２２と、これらアクティブマトリクス基板２１及び対向基板２２の間に設けられた表示媒体層である液晶層２３とを備えている。
【００３４】
アクティブマトリクス基板２１の一方の面には、図２に示すように、複数の走査線２６、複数の信号線２７、複数の画素電極２９、及び複数のスイッチング素子であるＴＦＴ（薄膜トランジスタ）３０が形成されている。
【００３５】
アクティブマトリクス基板２１は、矩形状のガラス基板２５を有し、上記複数の走査線２６は、ガラス基板２５の一方の面（液晶層２３側の面）で互いに平行に延びるように形成されている。一方、上記複数の信号線２７は、上記走査線２６に直交して延びるように、上記ガラス基板２５の一方の面で互いに平行に延びている。これら走査線２６及び信号線２７により囲まれた矩形状の領域は、それぞれ画素２８を構成している。すなわち、各画素２８はマトリクス状に配置されている。各画素２８には、画素２８毎に液晶層２３を駆動制御するための画素電極２９が設けられている。
【００３６】
さらに、各画素２８にはＴＦＴ３０がそれぞれ形成されており、上記画素電極２９に電気的に接続されている。図示は省略するが、走査線２６はＴＦＴ３０のゲート電極に接続される一方、信号線２７はＴＦＴ３０のソース電極に接続されている。また、ガラス基板２５の他方の面（液晶層２３とは反対側の面）には、偏光板３１が積層して設けられている。
【００３７】
対向基板２２は、上記アクティブマトリクス基板２１の一方の面に対向して配置されている。対向基板２２は、矩形状のガラス基板３３を有し、ガラス基板３３の一方の面（液晶層２３側の面）には、カラーフィルタ３２が形成されると共にカラーフィルタ３２を覆うように対向電極３５が形成されている。一方、ガラス基板３３の他方の面（液晶層２３とは反対側の面）には、上記偏光板３１と吸収軸が略直交する偏光板３６が形成されている。
【００３８】
また、アクティブマトリクス基板２１は、図１に示すように、基板に垂直な方向からみて、一辺側が対向基板２２の側端部よりも外側に延出した領域を有しており、この領域がＴＦＴ３０を駆動するためのＩＣドライバ（図示省略）が実装される実装領域３４になっている。
【００３９】
そして、本発明の特徴として、上記対向電極３５は、図１に示すように、信号線２７に沿って延伸するように長尺状に複数パターン形成されている。各対向電極３５は、信号線２７同士の間に配置され、例えば画素電極と略同じ幅を有するように形成されている。すなわち、信号線２７にＴＦＴ３０を介して接続されている一列の画素電極群に対応して、対向電極３５がそれぞれ配置されている。
【００４０】
そうして、この対向電極３５は、図３に示すように、例えば使用者の指先やペン等の接触体５が、対向基板２２の対向電極３５が形成されている面とは反対側の面（つまり、偏光板３６の表面）に接触したときに、接触体５と対向電極３５の一部との間に形成される静電容量を検知することによって、接触体５の接触位置（タッチ位置）Ａを検出するように構成されている。言い換えれば、各対向電極３５は、接触体５の接触位置Ａを検出する位置検出用電極を兼ねている。
【００４１】
対向基板２２の対向電極３５が形成されている面には、対向電極３５へ表示のための駆動信号（以降、表示用信号とも称する）が入力されると共に接触位置Ａを検出するための信号（以降、位置検出用信号とも称する）が入出力される信号入出力部として、端子部３７が設けられている。
【００４２】
すなわち、図１に示すように、基板に垂直な方向からみて、対向基板２２の側端部は、アクティブマトリクス基板２１の実装領域３４が設けられていない辺において、アクティブマトリクス基板２１の端部よりも外側にはみ出して突出している。このはみ出した領域は、対向電極３５に対する信号の入出力を行うための端子領域３９になっている。
【００４３】
図１に示すように、対向電極３５は、信号線２７に沿って、対向基板２２の一端から他端に亘って延びている。端子部３７は、端子領域３９に形成されている対向電極３５の端部によって形成されている。本実施形態では、信号線２７の本数に相当する対向電極３５が形成され、各対向電極３５毎に端子部３７が設けられている。
【００４４】
尚、従来の表示装置では、矩形平面上に形成されて位置検出用電極を兼ねる対向電極に対し、四隅にそれぞれ信号入出力部を設けているのに対し、本実施形態では、上述のように、長尺状の複数の対向電極３５毎に端子部３７をパターン形成して設ける点で大きく異なっている。
【００４５】
各端子部３７には、図１に示すように、入力回路４１及び検出回路４２がそれぞれ接続されている。入力回路４１は、液晶層２３を制御するための駆動信号（表示用信号）を対向電極３５に入力するための入力手段である。一方、検出回路４２は、接触体５の接触位置Ａを示す対向電極３５からの位置検出用信号を受け取る検出手段である。また、図示は省略するが、入力回路４１及び検出回路４２と、端子部３７との間には、スイッチ部が設けられ、入力回路４１から対向電極３５へ表示用信号を供給する状態と、検出回路４２から対向電極３５へ位置検出用信号を入出力する状態とのいずれかに切り換えるようになっている。
【００４６】
ここで、本発明で採用するいわゆる静電容量方式のタッチパネルの動作原理について、図６〜図８を参照しながら説明する。
【００４７】
図６は、基本的な静電容量式タッチパネル１０の構成を模式的に表した概略平面図である。図７は、図６におけるVII−VII線断面図である。図８は、位置検出用電極１２の近傍の構成を模式的に表した概略平面図である。
【００４８】
静電容量式タッチパネル１０は、図６及び図７に示すように、例えばガラス又はプラスティック等からなり、光透過性を有する基板本体１１と、基板本体１１の上に面状に設けられ、光透過性を有する位置検出用電極１２と、この位置検出用電極１２の上に設けられた絶縁層１８とを有している。
【００４９】
位置検出用電極１２の周縁には、額縁部１７が設けられている。額縁部１７の４つの各隅部には、位置検出用電極１２に電気的に接続された電極端子１４（１４ａ，１４ｂ，１４ｃ，及び１４ｄ）が設けられている。電極端子１４ａ，１４ｂ，１４ｃ，及び１４ｄは、それぞれ交流の電源回路に電気的に接続されており、同位相同電位の電圧が印加されるように構成されている。各電極端子１４は、配線１５を介して電流検出回路１６に電気的に接続されている。
【００５０】
静電容量式タッチパネル１０に指先５等が触れていない場合、位置検出用電極１２には、電源回路に接続された電極端子１４ａ，１４ｂ，１４ｃ，及び１４ｄから同じ大きさの電圧が印加される。このため、位置検出用電極１２には電流は流れていない。一方、静電容量式タッチパネル１０の表面、つまり位置検出用電極１２の上に設けられた絶縁層１８を介して、位置検出用電極１２を指先５等によって触れた場合には、位置検出用電極１２の接触部分が人を介してグランド（接地面）と容量的に結合される。容量結合した接触部分と位置検出用電極１２に電気的に接続された電極端子１４との間における電気抵抗は、接触部分と電極端子１４との間の距離に比例する。
【００５１】
すなわち、各電極端子１４ａ，１４ｂ，１４ｃ，及び１４ｄには、接触位置Ａと電極端子１４ａ，１４ｂ，１４ｃ，及び１４ｄとの間の各距離に比例した電流が流れる。例えば、接触部分と電極端子１４ａとの距離が、接触位置Ａと電極端子１４ｂとの距離よりも長い場合、電極端子１４ａには電極端子１４ｂよりも大きな電流が流れる。従って、電極端子１４ａ，１４ｂ，１４ｃ，及び１４ｄのそれぞれを流れる電流の大きさを電流検出回路１６によって検出することにより、接触部分の位置を検出することができる。
【００５２】
続いて、図９を参照して、静電容量式タッチパネルにおける位置検出方法の基本原理を具体的に説明する。説明の便宜上、電極端子１４ａと電極端子１４ｂとの間の線分上の位置検出を行う場合について説明する。
【００５３】
図９は、電極端子１４ａ及び電極端子１４ｂに挟まれた１次元抵抗体を含む回路図を示している。
【００５４】
電極端子１４ａ及び電極端子１４ｂは、それぞれ電流−電圧変換用の抵抗ｒ及び交流の電源回路２０を介してグランドに接地されている。電極端子１４ａ及び１４ｂのそれぞれは、さらに電流検出回路に接続されている。
【００５５】
電源回路２０によって、電極端子１４ａとグランドとの間、及び電極端子１４ｂとグランドとの間には、同位相同電位の電圧（交流ｅ）が印加される。タッチパネルに指先５等が接触されていない状態では、電極端子１４ａ及び１４ｂは同位相同電位にあるため、電極端子１４ａと電極端子１４ｂとの間には電流が流れない。
【００５６】
図９に示すように、例えば指先５で位置Ｘをタッチした場合について説明する。指先５によってタッチされた接触位置Ａから電極端子１４ａまでの抵抗をＲ1とし、接触位置Ａから電極端子１４ｂまでの抵抗をＲ2とし、Ｒ1及びＲ2の合計をＲとする。さらに、人のインピーダンスをＺとし、電極端子１４ａを流れる電流をｉ1とし、電極端子１４ｂを流れる電流をｉ2とすると、下記式１及び式２が成立する。
【００５７】
ｅ＝ｒｉ1＋Ｒ1ｉ1＋（ｉ1＋ｉ2）Ｚ                          （式１）
ｅ＝ｒｉ2＋Ｒ2ｉ2＋（ｉ2＋ｉ2）Ｚ                          （式２）
上記式１及び式２から、下記式３が得られる。さらに下記式３を変形することにより下記式４が得られる。
【００５８】
ｉ1（ｒ＋Ｒ1）＝ｉ2（ｒ＋Ｒ2）                             （式３）
ｉ2＝ｉ1（ｒ＋Ｒ1）／（ｒ＋Ｒ2）                           （式４）
上記式４を上記式１に代入すると、下記式５が得られる。
【００５９】
ｅ＝ｒｉ1＋Ｒ1ｉ1＋（ｉ1＋ｉ1（ｒ＋Ｒ1）／（ｒ＋Ｒ2））Ｚ
＝ｉ1（Ｒ（Ｚ＋ｒ）＋Ｒ1Ｒ2＋２Ｚｒ＋ｒ2）／（ｒ＋Ｒ2）  （式５）
上記式５から、下記式６及び式７が得られる。
【００６０】
ｉ1＝ｅ（ｒ＋Ｒ2）／（Ｒ（Ｚ＋ｒ）＋Ｒ1Ｒ2＋２Ｚｒ＋ｒ2）  （式６）
ｉ2＝ｅ（ｒ＋Ｒ1）／（Ｒ（Ｚ＋ｒ）＋Ｒ1Ｒ2＋２Ｚｒ＋ｒ2）  （式７）
ここで、抵抗Ｒ1と抵抗Ｒ2との比を全体の抵抗Ｒを用いて表すと、下記式８が得られる。
【００６１】
Ｒ1／Ｒ＝（２ｒ／Ｒ＋１）ｉ2／（ｉ1＋ｉ2）−ｒ／Ｒ         （式８）
抵抗ｒ及び抵抗Ｒは既知であるので、電極端子１４ａを流れる電流ｉ1と電極端子１４ｂを流れる電流ｉ2とを電流検出回路によって検出することにより、式８に基づいてＲ1／Ｒを算出することができる。尚、Ｒ1／Ｒは、指先５で接触した人間を含むインピーダンスＺに依存しない。したがって、インピーダンスＺがゼロ又は無限大でない限り、上記式８が成立し、人や材料等による変化、状態等を無視できる。
【００６２】
ところで、高い位置検出精度を実現する観点から抵抗Ｒは大きい方が好ましい。すなわち、位置検出用電極１２は高抵抗であることが好ましい。高抵抗な位置検出用電極１２を用いることにより、外部回路の寄生抵抗の影響を低減できるからである。従って、位置検出用電極１２は、例えばアルミニウム等の金属材料よりも電気抵抗が高い透明導電性酸化物により形成されることが好ましい。透明導電性酸化物の具体例としては、例えばインジウムスズ酸化物（ＩＴＯ）、インジウム亜鉛酸化物（ＩＺＯ）、及び酸化錫（ＳｎＯ）等が挙げられる。
【００６３】
通常、液晶表示装置に設けられている液晶駆動用の共通電極は、ＩＴＯ等の透明導電性酸化物で構成されているため、位置検出用電極として兼用するには相性がよい。但し、より高い接触位置Ａの検知精度を得るためには、上記電極の抵抗は高いほど好ましい。特に、位置検知用電極が共通電極と兼用される場合には、ガラス基板を介してタッチされたときに、位置検知用電極によって検知される信号の強度が極めて微弱になることから、位置検知用電極の面抵抗は１０００Ω／□程度あることが望ましいということが、本発明者の研究により判明している。
【００６４】
一方、表示品位の観点から論ずれば、対向電極（つまり位置検知用電極）の抵抗は小さければ小さいほど好ましい。通常は、ＩＴＯの比抵抗を極力小さくするような成膜条件が選ばれると共に、透過率との兼ね合いを考慮しながら極力膜厚を大きくするように最適化される。その結果、通常、対向電極の面抵抗は１０Ω／□程度に設定されることが多い。
【００６５】
仮に、この１０Ω／□程度の面抵抗で対向電極（位置検知用電極）を形成した場合には、ガラス基板を介してタッチされた接触位置Ａに依存する抵抗値の変動（すなわち上式のＲ1やＲ2）が、最大でも数Ω程度にとどまってしまう。この抵抗値は、外部回路の寄生抵抗と同じ程度であるため、Ｓ／Ｎ比が最高でも１桁程度の値しか確保できないという事態に陥る虞れがある。したがって、上述のように一般的な対向電極を位置検知用電極としてそのまま兼用したとしても、タッチされた接触位置Ａの検知精度を向上させることは困難である。
【００６６】
これに対し、本実施形態１によると、上述の問題が解決され、以下に説明するように格別の効果を奏する。
【００６７】
まず、前提として対向電極３５を、接触体５の接触位置Ａを検出する位置検出用電極と共用するようにしたので、位置検出用電極を対向電極と別個独立に設ける場合に比べて、装置全体の薄型化を図ることができる。
【００６８】
そのことに加えて、対向電極３５を信号線２７に沿って延伸するように長尺状に複数形成するようにしたので、対向電極３５の面抵抗は比較的低く維持しつつ信号線２７方向の抵抗を比較的高めることができるため、表示品位の低下を抑制すると共に接触体５の位置検出精度を高めることができる。
【００６９】
すなわち、図１に示すように、対向電極３５が従来と同程度に比較的低い面抵抗を有している場合でも、信号線２７方向に沿って距離が長く幅が狭い長尺状パターンに形成されているため、信号線２７方向両端の間の抵抗が高くなり、信号線２７方向の接触位置Ａの検出精度を格段に向上させることができる。
【００７０】
さらに、対向電極３５の面抵抗を高める必要がないため、コントラスト低下やムラ発生等の表示品位の低下を抑制できる。すなわち、対向電極３５を長尺状にパターニングするのは走査線２６方向ではなく信号線２７方向であるため、ある走査線２６が選択書き込みされた際に、各長尺状の対向電極３５には例えば１画素分の書き込み負荷しか加わらない。そのため、全ての長尺状の対向電極３５に加わる負荷が均等になるという点で、任意の点における負荷の大きさを面状の対向電極と同程度に維持でき、新たな表示の不具合は生じない。
【００７１】
さらにまた、各対向電極３５は信号線２７方向に延びる一方、走査線２６方向は互いに分離しているため、対向電極３５にリップルが乗ったとしても走査線２６方向には伝播せず、上述の書き込み時の負荷によるクロストークを抑制することができる。
【００７２】
長尺状の各対向電極３５には両端に端子部（信号入出力部）３７があり、この端子部３７から、表示に必要な表示用信号が供給されたり、タッチパネル（位置検出用電極）として駆動するための信号の入力、及び接触位置Ａを検出するための位置信号（すなわち、これらが位置検出用信号である）の読み出しが行われる。上記位置検出用信号は、例えば垂直帰線期間のように表示に寄与しない期間に、対向電極３５へ入出力される。
【００７３】
さらに、本実施形態１では、各対向電極３５毎に端子部３７を介して検出回路４２をそれぞれ接続しているため、接触体５が接触した領域に対応する対向電極３５を容易に判別でき、通常の静電容量方式タッチパネルのように、面状に形成された位置検出用電極における２次元検出に比べて、容易に高い位置精度を得ることができる。
【００７４】
また、本実施形態１における接触位置Ａの検出原理は、上述した１次元の場合の原理を用いることができ、２次元検出の場合よりも原理が簡単であるため、構造やプロセスのばらつき等の影響を受けにくく、良好な精度を容易に得ることが可能となる。さらに、得られた位置データもｘ方向とｙ方向とに分離されたデータであるため、そのデータ処理がしやすく、外部回路も比較的簡単な構成にすることができる。
【００７５】
尚、本実施形態１における長尺状の対向電極３５は、信号線の１ライン毎に対応してパターニングしたが、検知精度が比較的低くてもよい場合には、複数の信号線に跨って形成しても構わない。例えば、ＲＧＢの３ラインを１本の長尺状の対向電極３５に対応させることも可能である。この場合には、外部回路の規模も三分の一ですむため、表示装置全体を低コストで実現できる。また、上記クロストークの問題については、ＲＧＢの３画素をドットの１構成単位とした場合、隣接する構成単位の間では長尺状対向電極３５を共有していないため、例えＲＧＢの各画素間で影響し合っていたとしても、クロストークとしては視認されない。
【００７６】
また、デバイスの特性としてクロストークの虞れがない場合には、より多くのラインに対応するように長尺状対向電極３５を共有させてもよい。この場合、走査線２６方向に検出解像度をどの程度得たいかによって、長尺状対向電極３５の幅を決定すればよい。より幅が大きい長尺状対向電極３５とすることによって、外部回路の数を減らすことができ、簡便かつ安価なシステムとすることができる。但し、対向電極３５の両端の抵抗値がある程度の高抵抗である必要があることは先に述べた通りであるため、検出解像度と検出精度と外部システムの複雑さとを互いに考慮して長尺状対向電極３５の幅を決定すればよい。ちなみに、上記クロストークの虞れがない場合を作り出すために、ドット反転等の制御も有効である。
【００７７】
《発明の実施形態２》
図４は、本発明の実施形態２を示している。図４は液晶表示装置１の要部を示す平面図である。尚、以降の各実施形態では、図１〜図３と同じ部分については同じ符号を付して、その詳細な説明を省略する。
【００７８】
本実施形態２は、対向電極３５のそれぞれは、対向電極３５の両端部が短絡配線４５によって短絡されており、その短絡配線４５に信号入出力部である電極端子４６を設けた点で、上記実施形態１と相違している。短絡配線４５の両端間の抵抗値は１００Ω以上であることが好ましい。
【００７９】
すなわち、本実施形態２の電極端子４６は、各対向電極３５毎に設けられていない。短絡配線４５のそれぞれは、短絡配線４５の両端側に電極端子４６を有している。電極端子４６は、図４に示すように、対向基板２２の四隅にそれぞれ設けられている。各電極端子４６には、上記実施形態１と同様に、入力回路４１及び検出回路４２が接続されている。
【００８０】
表示用信号は、入力回路４１から各電極端子４６及び短絡配線４５を介して各対向電極３５に一括して供給される。一方、位置検出用信号は、検出回路４２から短絡配線４５及び各電極端子４６を介して対向電極３５に入出力される。そして、接触位置Ａの検出は２次元的に行われる。
【００８１】
ここで、図１０を参照して、いわゆる静電容量式タッチパネル１０の２次元の位置検出の基本原理について説明する。
【００８２】
電極端子１４ａ，１４ｂ，１４ｃ，及び１４ｄは、それぞれ電流−電圧変換用の抵抗ｒ及び交流の電源回路２０を介してグランドに接続されている。また、電極端子１４ａ，１４ｂ，１４ｃ，及び１４ｄは、それぞれ電流検出回路に接続されている。電極端子１４ａ，１４ｂ，１４ｃ，及び１４ｄには、それぞれ電源回路により同位相同電位の電圧が印加されている。ペンや指先５等の接触によって電極端子１４ａ，１４ｂ，１４ｃ，１４ｄを流れる電流をそれぞれｉ1，ｉ2，ｉ3及びｉ4とする。この場合、前述の計算と同様にして、下記の式９及び式１０が得られる。
【００８３】
Ｘ＝ｋ1＋ｋ2・（ｉ2＋ｉ3）／（ｉ1＋ｉ2＋ｉ3＋ｉ4）        （式９）
Ｙ＝ｋ1＋ｋ2・（ｉ1＋ｉ2）／（ｉ1＋ｉ2＋ｉ3＋ｉ4）        （式１０）
ここで、Ｘは、位置検出用電極１２上におけるタッチされた接触位置ＡのＸ座標であり、Ｙは、位置検出用電極１２上における接触位置ＡのＹ座標である。また、ｋ1はオフセット、ｋ2は倍率である。ｋ1及びｋ2は、人のインピーダンスに依存しない定数である。
【００８４】
上記式９及び式１０に基づいて、各電極端子１４ａ，１４ｂ，１４ｃ，及び１４ｄを流れるｉ1，ｉ2，ｉ3及びｉ4の測定値から、接触位置Ａを算出することができる。
【００８５】
本実施形態２は、４点の電極端子４６から位置検出をしている点で、上述した図１０の場合と類似している。尚、位置検出用の検出信号を対向電極３５に入出力するために、対向基板２２に直接に検出回路４２を接続してもよいが、好ましくはカーボンペースト等の導電性材料を介してアクティブマトリクス基板２１側に一旦転移させ、表示用信号と同様にアクティブマトリクス基板２１側のみにおいて信号の入出力を行うことが、外形的にも製造コスト的にも好ましい。
【００８６】
上述したように、接触位置Ａを精度よく検知するためには、位置検出したい方向の導電体の抵抗値が外部の寄生抵抗に比べて十分に大きい必要がある。特に本実施形態２においては、短絡配線４５の抵抗値が大きくなければ走査線２６方向の検出を精度良く行うことが難しい。一般に、外部回路内と、外部回路及び表示素子の接続部との間の寄生抵抗は数Ω程度であり、設計としては最大で１０Ω程度を見込んでおく必要がある。一方、タッチパネルの位置検出精度はどれだけ要求を小さく抑えたとしても±１０％は必要であるから、１０％の検出誤差を考慮すると、短絡配線４５の抵抗値は、寄生抵抗１０Ωの１０倍である１００Ωは少なくとも必要である。
【００８７】
本実施形態２では、短絡配線４５の信号線２７方向の両端間の抵抗値を１００Ω以上に規定しているので、上記検出誤差及び寄生抵抗の影響に拘わらず、精度の良い接触位置Ａの検出を行うことができる。
【００８８】
さらに、実施形態１と同様に検出位置精度と表示品位とを同時に確保することに加え、各対向電極３５の両端部を短絡配線４５によって短絡するようにしたので、電極端子４６（信号入出力部）を複数の対向電極３５の全て設ける必要がなく、その電極端子４６の数を減少させて装置構成を簡単にすることができる。その結果、表示装置のうち表示に寄与しない所謂額縁領域を縮小することができる。また、比較的高価な接触位置Ａ読み取り回路を多数配置しなくてもよいため、コストの低減を図ることも可能となる。
【００８９】
《発明の実施形態３》
図５は、液晶表示装置１の要部を示す平面図であって、本発明の実施形態３を示している。
【００９０】
上記実施形態２では短絡配線４５の抵抗値を１００Ω以上にする必要がある旨を述べたが、この場合、表示用信号を対向電極３５へ入力する際に比較的大きなインピーダンスを介することになるため、デバイスの特性によっては各画素への充電不足等により表示品位が低下する虞れがある。
【００９１】
本実施形態３は、このような虞れを解消するために有効な構成であって、まず、上記実施形態２と同様に各対向電極３５の両端部を短絡させる短絡配線４５を有している。さらに、短絡配線４５には、図５に示すように、表示用信号を対向電極３５に入力するための信号入力部である第１電極端子５１が３つ以上設けられている。また、対向電極３５の両端側には、位置検出用信号を対向電極３５へ入出力するための信号出力部である第２電極端子５２がそれぞれ設けられている。
【００９２】
このように、本実施形態３の第１電極端子５１は、各対向電極３５毎に設けられていない。対向電極３５の数よりも少ない数の第１電極端子５１が、短絡配線４５に所定の間隔で配置されている。
【００９３】
第１電極端子５１には入力回路４１が接続される一方、第２電極端子５２には検出回路４２が接続されている。入力回路４１には、表示用信号を出力する表示用信号供給部５３と、垂直帰線期間又は表示期間を選択するための信号を出力する選択信号供給部５４とが含まれている。
【００９４】
各第１電極端子５１と、表示用信号供給部５３及び選択信号供給部５４との間は、スイッチ部５０がそれぞれ配置されている。すなわち、例えば垂直帰線期間等には、選択信号供給部５４から選択信号がスイッチ部５０に供給され、スイッチ部５０がオフ状態となる。そのとき、検出回路４２から位置検出用信号が、第２電極端子５２及び短絡配線４５を介して対向電極３５へ入出力される。そのことによって、図４に示す上記実施形態２の場合と同様に、接触位置Ａの２次元検出が行われる。
【００９５】
その後、表示期間等には、選択信号供給部から選択信号がスイッチ部に供給され、スイッチ部５０がオン状態に切り換わる。そのとき、表示用信号供給部５３から表示用信号が、スイッチ部５０、第１電極端子５１及び短絡配線４５を介して、各対向電極３５へ供給され、表示が行われる。
【００９６】
走査線２６方向の位置検出精度を向上させるべく短絡配線４５を比較的高抵抗に形成しているが、上述のように表示用信号を複数の第１電極端子５１から分散して多点入力するようにしたので、比較的低いインピーダンスで入力させることができる。その結果、位置検出精度及び表示品位の双方を向上させることができる。
【００９７】
《その他の実施形態》
本明細書において「表示媒体層」とは、互いに対向する電極間（画素電極２９と対向電極３５との間）の電位差により光透過率が変調される層、又は互いに対向する電極間を流れる電流により自発光する層をいう。表示媒体層の具体例としては、例えば、上述の液晶層、無機又は有機ＥＬ層、発光ガス層、電気泳動層、エレクトロクロミック層等が挙げられる。
【００９８】
また、スイッチング素子は、上記ＴＦＴ３０以外に、例えばＭＩＭ（metal-insulator-metal）等を適用することが可能である。
【産業上の利用可能性】
【００９９】
以上説明したように、本発明は、接触位置を検出するための位置検出用電極と、表示に寄与する対向電極とが共用された表示装置について有用であり、特に、位置検出精度を可及的に高めると共に、表示品位の低下を抑制する場合に適している。
【図面の簡単な説明】
【０１００】
【図１】実施形態１の液晶表示装置の要部を示す平面図である。
【図２】アクティブマトリクス基板の一部を拡大して示す平面図である。
【図３】液晶表示装置の構造を模式的に示す断面図である。
【図４】実施形態２の液晶表示装置の要部を示す平面図である。
【図５】実施形態３の液晶表示装置の要部を示す平面図である。
【図６】基本的な静電容量式タッチパネルの構成を模式的に表した概略平面図である。
【図７】図６におけるVII−VII線断面図である。
【図８】位置検出用電極の近傍の構成を模式的に表した概略平面図である。
【図９】電極端子に挟まれた１次元抵抗体を含む回路図である。
【図１０】電極端子に囲まれた２次元抵抗体を含む回路図である。
【符号の説明】
【０１０１】
Ａ      接触位置
１      液晶表示装置
５      指先（接触体）
２１      アクティブマトリクス基板
２２      対向基板
２３      液晶層（表示媒体層）
２６      走査線
２７      信号線
２９      画素電極
３０      ＴＦＴ（スイッチング素子）
３５      対向電極
３７      端子部（信号入出力部）
４１      入力回路（入力手段）
４２      検出回路（検出手段）
４５      短絡配線
４６      電極端子（信号入出力部）
５０      スイッチ部
５１      第１電極端子（信号入力部）
５２      第２電極端子
５３      表示用信号供給部（入力手段）
５４      選択信号供給部（入力手段）
【図１】
2007304342.tif 000003
【図２】
2007304342.tif 000004
【図３】
2007304342.tif 000005
【図４】
2007304342.tif 000006
【図５】
2007304342.tif 000007
【図６】
2007304342.tif 000008
【図７】
2007304342.tif 000009
【図８】
2007304342.tif 000010
【図９】
2007304342.tif 000011
【図１０】
2007304342.tif 000012